(57)【特許請求の範囲】
【請求項１】
マンションやアパート等の複数階建ての集合住宅において、１階部分のベランダあるいは外廊下の外壁部材および、１階部分のベランダあるいは外廊下の下部を覆えるように全戸数あるいは複数戸数の物置を設置したことを特徴とする集合住宅。
【請求項２】
物置は１階部分のベランダあるいは外廊下の下部位置も収納空間となるように形成されていることを特徴とする請求項１記載の集合住宅。
【発明の詳細な説明】
【技術分野】
【０００１】
本発明はマンションやアパート等の集合住宅に関する。
【背景技術】
【０００２】
従来、マンションやアパート等の集合住宅で、1階部分に地面より上方に位置するようにベランダの床躯体を設ける場合、該集合住宅のベランダの前方に内部を覗くことができない塀を設置している。
しかしながら、塀を設置できるような十分なスパースがない場合、ベランダの床躯体の底面と地面との間に隙間があるため、該部位が吹き溜まりになったりしてゴミが溜り、見苦しくなるという欠点があった。
また、集合住宅では物置の設置場所に苦労するという欠点があった。
【先行技術文献】
【特許文献】
【０００３】
【特許文献１】特開２００１−１８２３１０号公報
【発明の概要】
【発明が解決しようとする課題】
【０００４】
本発明は以上のような従来の欠点に鑑み、1階のベランダの床躯体の底面と地面との間の隙間にゴミが溜まったり、不用品の収納スペースとなったりすることなく、美観の向上を図ることができ、かつベランダの前方に見苦しさを隠すための塀を設置しなくてもよく、全戸数あるいは複数戸数の物置を設置することができる集合住宅を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はマンションやアパート等の複数階建ての集合住宅において、１階部分のベランダあるいは外廊下の外壁部材および、１階部分のベランダあるいは外廊下の下部を覆えるように全戸数あるいは複数戸数の物置を設置して集合住宅を構成している。
【発明の効果】
【０００７】
以上の説明から明らかなように、本発明にあっては次に列挙する効果が得られる。
（１）請求項１により、１階部分のベランダあるいは外廊下の外壁部材および、１階部分のベランダあるいは外廊下の下部を覆えるように全戸数あるいは複数戸数の物置を設置しているので、この物置によって、ベランダ下部を覆うことができ、該部位が従来のように吹き溜まりになってゴミが溜まったりして見苦しくなるのを防止して、美観の向上を図ることができる。    
（２）前記（１）により、全戸数あるいは複数戸数の物置が設置でき、物置を楽に使用することができるとともに、居住空間を有効利用することができる。
（３）前記（１）により、物置のある集合住宅にでき、集合住宅のグレードアップを図ることができる。
（４）前記（１）により、ベランダの前方に内部を覗かれないような塀を設置しなくてもよく、コストの低減と集合住宅の美観の向上を図ることができる。  
（５）請求項２も前記（１）〜（４）と同様な効果が得られるとともに、物置のスペースを有効利用でき、大きく設定することができる。
【図面の簡単な説明】
【０００８】
【図１】本発明を実施するための第１の形態の正面図。
【図２】本発明を実施するための第１の形態の背面図。
【図３】図１の３−３線に沿う断面図。
【図４】図３の４−４線に沿う断面図。
【図５】本発明を実施するための第２の形態の正面図。
【図６】本発明を実施するための第２の形態の背面図。
【図７】図５の７−７線に沿う断面図。
【図８】本発明を実施するための第３の形態の正面図。
【図９】本発明を実施するための第３の形態の背面図。
【図１０】図８の１０−１０線に沿う断面図。
【発明を実施するための形態】
【０００９】
以下、図面に示す本発明を実施するための形態により、本発明を詳細に説明する。
【００１０】
図１ないし図４に示す本発明を実施するための第１の形態において、１は本発明の集合住宅で、この集合住宅１は３階建てで、地面より約５００ｍｍの所に１階部分のベランダ２の床躯体３の底面４や１階部分の外廊下５の床躯体６の底面７が設けられている。
【００１１】
前記１階部分のベランダ２の外壁部材８に背面が当接あるいは一体および１階部分のベランダ２の下部全体を覆える部位と、前記１階部分の外廊下５の外壁部材９に背面が当接あるいは一体および１階部分の外廊下５の下部全体を覆える部位に全戸数分の鍵付の開閉扉１０を有する物置１１が設置されている。
また、２階部分、３階部分にもベランダ１２や外廊下１３が設けられている。
【００１２】
上記構成の集合住宅１は１階部分のベランダ２や１階部分の外廊下５の外壁部材８、９に背面が当接あるいは一体となる全戸数分の物置１１、１１が設置されているため、物置１１、１１の使用が楽にできるとともに、居住空間に物置を設置する必要がなく、居住空間の有効利用を図ることができる。
【００１３】
また、物置１１、１１によって１階部分のベランダ２の床躯体３の底面４と地面１４との間および、１階部分の外廊下５の床躯体６の底面７と地面１４との間の隙間１５、１６を外部から見えないように隠すことができ、該隙間１５．１６に従来のようにゴミが溜まって見苦しくなったりするのを確実に防止することができる。    
【００１４】
[発明を実施するための異なる形態]
次に、図５ないし図１０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１５】
図５ないし図７に示す本発明を実施するための第２の形態において、前記本発明を実施するための第１の形態と主に異なる点は、１階部分のベランダ２の床躯体３の底面４の隙間１５や、１階部分の外廊下５の床躯体６の底面７の隙間１６を収納空間１７、１８の一部となる物置１１Ａ、１１Ａを設置した点で、このような物置１１Ａ、１１Ａを用いて構成した集合住宅１Ａにしても、前記本発明を実施するための第１の形態と同様な作用効果が得られるとともに、１階部分のベランダ２の下部隙間１５や、１階部分の外廊下５の下部隙間１６を収納空間１７、１８として有効利用を図ることができる。
【００１６】
図８ないし図１０に示す本発明を実施するための第３の形態において、前記本発明を実施するための第１の形態と主に異なる点は、１階部分のベランダ２の床躯体３の底面４と地面１４の隙間１５が約１０００ｍｍくらいになるとともに、１階部分の外廊下５の床躯体６の底面７と地面１４との隙間１６が約１０００ｍｍくらいになるように下駄履き構造の集合住宅本体１９に１階部分のベランダ２の床躯体３の下部隙間１５Ａおよび外廊下５の床躯体６の下部隙間１６Ａを収納空間１７Ａ、１８Ａとして有効利用を図ることができる物置１１Ｂ、１１Ｂを設置した点で、このような下駄履き構造の集合住宅本体１９に物置１１Ｂ、１１Ｂを設置した集合住宅１Ｂにしても、前記本発明を実施するための第１の形態と同様な作用効果が得られるとともに、収納空間１７Ａ、１８Ａに物を収納しやすい物置１１Ｂ、１１Ｂにできる。
【００１７】
なお、本発明の各実施の形態では３階建ての集合住宅について説明したが、本発明はこれに限らず、２階以上の集合住宅に利用できる。
また、外廊下のない集合住宅であってもよい。
【産業上の利用可能性】
【００１８】
本発明はマンションやアパート等の集合住宅を建設する産業で利用される。
【符号の説明】
【００１９】
１、１Ａ、１Ｂ：集合住宅、  ２：１階部分のベランダ、
３：床躯体、        ４：底面、
５：１階部分の外廊下、    ６：床躯体、
７：底面、        ８：外壁部材、
９：外壁部材、      １０：開閉扉、
１１、１１Ａ、１１Ｂ：物置、  １２：ベランダ、
１３：外廊下、      １４：地面、
１５、１５Ａ、１６、１６Ａ：隙間、
１７、１７Ａ、１８、１８Ａ：収納空間、
１９：集合住宅本体。
【図１】
0005430611.tif 000002
【図２】
0005430611.tif 000003
【図３】
0005430611.tif 000004
【図４】
0005430611.tif 000005
【図５】
0005430611.tif 000006
【図６】
0005430611.tif 000007
【図７】
0005430611.tif 000008
【図８】
0005430611.tif 000009
【図９】
0005430611.tif 000010
【図１０】
0005430611.tif 000011